(57)【要約】【課題】主反射面を形成するための蒸着が容易であると共に、モジュール全体の薄型化が可能であるばかりでなく、ＬＥＤの１個当たりの拡大した発光面積を確保することができると共に、車両信号灯としての所望の配光パターンを得るときの光の有効利用をも図ることができること。【解決手段】ＬＥＤ１の光を、リフレクタ２の主反射面２ｂへ反射させる補助反射面３ａを有するリフレクタシェード３が、その中心部３ｃをＬＥＤ１の光軸ｃに合致させると共に、ＬＥＤ１の発光部１ａに近接させて対向配置されて、全体構成されている。ＬＥＤ１の光束は、その中央部分を含めた大部分が補助反射面３ａで反射されて主反射面２ｂへ入射し、主反射面２ｂでさらに反射されて大部分がＬＥＤ１の光軸ｃと平行な平行光Ｌ１となって前方に出射する。【選択図】　　　図１
2004055168.tif 000002
【特許請求の範囲】
【請求項１】
出射開口部と、この出射開口部から奥行き方向に向かって径を漸小させて形成される主反射面と、この主反射面の最奥に形成される光源取付孔とを有するリフレクタと、前記光源取付孔に発光部を臨ませて取り付けられるＬＥＤとを備えているＬＥＤランプモジュールであって、
前記ＬＥＤの光を前記主反射面へ反射させる補助反射面を有して形成されるリフレクタシェードが、その中心部を前記ＬＥＤの光軸に合致させると共に、前記ＬＥＤの発光部に近接させて対向配置されていることを特徴とするＬＥＤランプモジュール。
【請求項２】
請求項１記載のＬＥＤランプモジュールであって、
前記光源取付孔は、前記発光部の周縁部に近接する孔縁部を有して形成されていることを特徴とするＬＥＤランプモジュール。
【請求項３】
請求項１または２記載のＬＥＤランプモジュールであって、前記リフレクタシェードは、前記光源取付孔と略同等の投影面積を有して形成されていることを特徴とするＬＥＤランプモジュール。
【請求項４】
請求項１〜３のいずれか１項に記載のＬＥＤランプモジュールであって、
前記リフレクタは、その出射開口部をアウタレンズに対向させると共に、前記アウタレンズで開口部を閉塞されたハウジング内に、前記アウタレンズに形成される発光面が相互に連続するように適宜の間隔を維持して複数個配置されており、
前記ＬＥＤおよびリフレクタシェードは、前記複数個の各リフレクタに配置されていることを特徴とするＬＥＤランプモジュール。
【請求項５】
請求項１〜３のいずれか１項に記載のＬＥＤランプモジュールであって、
前記リフレクタは、その出射開口部をアウタレンズに対向させると共に、前記アウタレンズで開口部を閉塞されたハウジング内に、所定位置に同一の配光パターンを形成するように適宜の間隔を維持して複数個配置されており、
前記ＬＥＤおよびリフレクタシェードは、前記複数個の各リフレクタに配置されていることを特徴とするＬＥＤランプモジュール。
【発明の詳細な説明】
【０００１】
【発明の属する技術分野】
この発明は、例えば、車両の信号灯や、広告灯等に適用される、ＬＥＤ（発光ダイオード）ランプモジュールに関する。
【０００２】
【従来の技術】
この種のＬＥＤランプモジュールは、ＬＥＤの光の利用効率を高めるためリフレクタと組み合わせて構成される。
【０００３】
例えば、車両の信号灯として適用するときのＬＥＤランプモジュール１００は、図７に示すように、出射開口部５０ａと、この出射開口部５０ａから奥行き方向に向かって径を漸小させて形成される主反射面５０ｂと、この主反射面５０ｂの最奥に形成される光源取付孔５０ｃとを有するリフレクタ５０と、光源取付孔５０ｃに発光部１ａを臨ませて取り付けられるＬＥＤ１とを備えて構成されている。
【０００４】
このときＬＥＤ１は、光の指向性が高いので、光の利用効率を高めるには、リフレクタ５０は、比較的に小さい出射開口部５０ａと、奥行きの深い主反射面５０ｂとを有して構成する必要がある。このリフレクタ５０によれば、図７のＬＥＤ１の光のスペクトルＳに示すように、ＬＥＤ１の放射角２０°以内の光Ｓ１は直射光として前方へ照射し、ＬＥＤ１の放射角２０°〜９０°の光Ｓ２（斜線を付して示す）は主反射面５０ｂに入射した後、該主反射面５０ｂで反射されて前方へ照射して、車両信号灯としての所望の配光パターンＡを得ることができると共に、ＬＥＤ１の光の有効利用を図ることができる。
【０００５】
また、ＬＥＤランプモジュール１０１は、図８に示すように、発光面積を大きくとるために焦点距離の大きなリフレクタ５１を採用している以外は前述したモジュール１００と同様に構成されている。リフレクタ５１は、幾分広めの出射開口部５１ａ、主反射面５１ｂ、および光源取付孔５１ｃを有して構成されている。
【０００６】
このリフレクタ５１によれば、図８のＬＥＤ１の光のスペクトルＳに示すように、ＬＥＤ１の放射角２０°以内の光Ｓ１および２０°〜（２０＋α）°の光Ｓ３（斜線を付して示す）は直射光として出射開口部５１ａから前方へ照射し、ＬＥＤ１の放射角（２０＋α）°〜９０°の光Ｓ４は主反射面５１ｂに入射した後、該主反射面５１ｂで反射されて前方へ照射する。
【０００７】
このとき車両信号灯としての所望の配光パターンＡは、ＬＥＤ１の放射角２０°以内の光Ｓ１、および放射角（２０＋α）°〜９０°の光Ｓ４により得られる。
【０００８】
【発明が解決しようとする課題】
しかしながら、ＬＥＤランプモジュール１００は、前述したようにＬＥＤ１の光の有効利用を図ることができるが、リフレクタ５０の出射開口部５０ａが、比較的に小さく形成されているので、主反射面５０ｂを形成するための蒸着（例えば、アルミニウム）が難しいばかりでなく、ＬＥＤ１の１個当たりの発光面積が大きく取れない、と言う課題を有している。
【０００９】
また、ＬＥＤランプモジュール１０１は、前述したように幾分広めの出射開口部５１ａを有するリフレクタ５１を採用しているので、ＬＥＤ１の１個当たりの拡大した発光面積を確保することができると共に、主反射面５１ｂを形成するための蒸着も容易であるが、車両信号灯としての所望の配光パターンＡを得るときには、ＬＥＤ１の放射角２０°〜（２０＋α）°の光Ｓ３が無駄になり、この光Ｓ３は光の強度の比較的大きい部分であるので、この部分の光ロスは重大で、ひいては光の有効利用を図ることができない、と言う課題を有している。
【００１０】
さらに、ＬＥＤランプモジュール１００および１０１は、共に採用するリフレクタ５０および５１の奥行きが深いので、その分モジュール１００および１０１の全体が厚くなる、と言う課題をも有している。
【００１１】
そこで、この発明は、主反射面を形成するための蒸着が容易であると共に、モジュール全体の薄型化が可能であるばかりでなく、ＬＥＤの１個当たりの拡大した発光面積を確保することができると共に、車両信号灯としての所望の配光パターンを得るときの光の有効利用をも図ることができるＬＥＤランプモジュールを提供することを目的とする。
【００１２】
【課題を解決するための手段】
前記した目的を達成するため、請求項１記載の発明は、出射開口部と、この出射開口部から奥行き方向に向かって径を漸小させて形成される主反射面と、この主反射面の最奥に形成される光源取付孔とを有するリフレクタと、前記光源取付孔に発光部を臨ませて取り付けられるＬＥＤとを備えているＬＥＤランプモジュールであって、
前記ＬＥＤの光を前記主反射面へ反射させる補助反射面を有して形成されるリフレクタシェードが、その中心部を前記ＬＥＤの光軸に合致させると共に、前記ＬＥＤの発光部に近接させて対向配置されていることを特徴とする。
【００１３】
このため、請求項１記載の発明では、ＬＥＤの光は、指向性が高いので、その発光部にリフレクタシェードを近接させることにより、ＬＥＤの光の放射角の大部分の範囲内に補助反射面を対峙させることができる。これにより、ＬＥＤの光束は、その中央部分を含めた大部分がリフレクタシェードの補助反射面で反射されてリフレクタの主反射面へ入射し、該主反射面でさらに反射されて大部分がＬＥＤの光軸と平行な平行光となって前方に出射する。
【００１４】
また、ＬＥＤの光の大部分は、リフレクタシェードの補助反射面で反射させた後、主反射面へ入射させるようにしたので、リフレクタは、補助反射面との相対関係で、出射開口部を大きくし、かつ主反射面の奥行きを浅くして設計することができる。
【００１５】
さらに、ＬＥＤに対向配置されたリフレクタシェードは、光源として採用したＬＥＤを外部からの視界から隠すことができる。
【００１６】
また、請求項２記載の発明は、請求項１記載のＬＥＤランプモジュールであって、
前記光源取付孔は、前記発光部の周縁部に近接する孔縁部を有して形成されていることを特徴とする。
【００１７】
このため、請求項２記載の発明では、ＬＥＤの光のリフレクタ後方への漏洩を、その発光部の周縁部に近接する光源取付孔の孔縁部で防ぐことができる。
【００１８】
また、請求項３記載の発明は、請求項１または２記載のＬＥＤランプモジュールであって、
前記リフレクタシェードは、前記光源取付孔と略同等の投影面積を有して形成されていることを特徴とする。
【００１９】
このため、請求項３記載の発明では、リフレクタシェードは、ＬＥＤを外部からの視界から隠すことができると共に、ＬＥＤに対する遮光を小部分に留めることができる。
【００２０】
また、請求項４記載の発明は、請求項１〜３のいずれか１項に記載のＬＥＤランプモジュールであって、
前記リフレクタは、その出射開口部をアウタレンズに対向させると共に、前記アウタレンズで開口部を閉塞されたハウジング内に、前記アウタレンズに形成される発光面が相互に連続するように適宜の間隔を維持して複数個配置されており、
前記ＬＥＤおよびリフレクタシェードは、前記複数個の各リフレクタに配置されていることを特徴とする。
【００２１】
このため、請求項４記載の発明では、アウタレンズの全面を、少ない個数のＬＥＤで均一に面発光させることができる。
【００２２】
また、請求項５記載の発明は、請求項１〜３のいずれか１項に記載のＬＥＤランプモジュールであって、
前記リフレクタは、その出射開口部をアウタレンズに対向させると共に、前記アウタレンズで開口部を閉塞されたハウジング内に、所定位置に同一の配光パターンを形成するように適宜の間隔を維持して複数個配置されており、
前記ＬＥＤおよびリフレクタシェードは、前記複数個の各リフレクタに配置されていることを特徴とする。
【００２３】
このため、請求項５記載の発明では、少ない個数のＬＥＤで所望の配光パターンを有する車両用灯具を提供することができる。
【００２４】
【発明の実施の形態】
以下、本発明の実施の形態を図面に基づいて説明する。
【００２５】
図１は、この発明の第１実施形態としてのＬＥＤランプモジュール１０を示す。このランプモジュール１０は、出射開口部２ａと、この出射開口部２ａから奥行き方向に向かって径を漸小させて形成される主反射面２ｂと、この主反射面２ｂの最奥に形成される光源取付孔２ｃとを有するリフレクタ２と、光源取付孔２ｃに発光部１ａを臨ませて取り付けられるＬＥＤ１とを備えている。
【００２６】
そして、ランプモジュール１０は、さらにＬＥＤ１の光を主反射面２ｂへ反射させる補助反射面３ａを有して形成されるリフレクタシェード３が、その中心部３ｃをＬＥＤ１の光軸ｃに合致させると共に、ＬＥＤ１の発光部１ａに近接させて対向配置されて、全体構成されている。
【００２７】
具体的には、図２に示すように、主反射面２ｂは、放物線Ｂの一部を、ＬＥＤ１の光軸ｃを中心にして回転させることにより形成されている（図２（ｂ）参照）。このときの放物線Ｂは、図２（ｂ）中、ＬＥＤ１の光軸ｃと平行の中心線ｃ１を境にして一側部分を実線で、他側部分を破線で示しており、主反射面２ｂを形成するときの放物線Ｂの一部とは前記一側部分のことである。
【００２８】
また、リフレクタシェード３の補助反射面３ａは、楕円線Ｃの一部を、ＬＥＤ１の光軸ｃを中心にして回転させることにより形成されている（図２（ｂ）参照）。このときの楕円線Ｃは、図２（ｂ）中、ＬＥＤ１の光軸ｃ上に第１焦点Ｃ１を合致させると共に、第２焦点Ｃ２を斜め上方に位置させて破線で示されており、補助反射面３ａを形成するときの楕円線Ｃの一部とは楕円線Ｃの内の第２焦点Ｃ２の右側部分に沿う実線部分のことである。
【００２９】
リフレクタシェード３は、円盤の下面側に補助反射面３ａを形成して構成されており、円盤の上面とリフレクタ２の外部とを連結するＬ字形状の脚部４を介してリフレクタ２内に取り付けられている。
【００３０】
また、ＬＥＤ１は、その発光焦点１ｂ（図１参照）を楕円線Ｃの第１焦点Ｃ１に合致させると共に、その発光部１ａをリフレクタ２の光源取付孔２ｃに臨ませて取り付けられている。この取付状態では、リフレクタシェード３の補助反射面３ａとＬＥＤ１の発光部１ａとが対向しており、かつ補助反射面３ａの中央部の尖鋭端部３ｂが発光部１ａに近接している。
【００３１】
このように構成されたＬＥＤランプモジュール１０によれば、ＬＥＤ１の光は、指向性が高いので、その発光部１ａにリフレクタシェード３を近接させることにより、ＬＥＤ１の光の放射角の大部分の範囲内に補助反射面３ａを対峙させることができる。これにより、ＬＥＤ１の光束は、その中央部分を含めた大部分がリフレクタシェード３の補助反射面３ａで反射されてリフレクタ２の主反射面２ｂへ入射し、該主反射面２ｂでさらに反射されて大部分がＬＥＤ１の光軸ｃと平行な平行光Ｌ１（図１参照）となって前方に出射することによって、車両信号灯としての所望の配光パターンＡを得るときのＬＥＤ１の光の有効利用が図れる。
【００３２】
すなわち、図１のＬＥＤ１の光のスペクトルＳに示すように、ＬＥＤ１の放射角（２０＋β）°（＞（２０＋α）°（図８参照））以内の光Ｓ５（斜線を付して示す）は、補助反射面３ａで反射されてリフレクタ２の主反射面２ｂへ入射し、該主反射面２ｂでさらに反射されて大部分がＬＥＤ１の光軸ｃと平行な平行光Ｌ１となって前方に出射する。このときＬＥＤ１の放射角（２０＋β）°〜９０°の光Ｓ６は、大部分が補助反射面３ａおよび主反射面２ｂに入射することなく、無駄な直射光として前方へ出射されるが、この部分の光Ｓ６は、光の強度が低いので光の有効利用の点では大した影響を及ぼすものではない。
【００３３】
また、ＬＥＤ１の光の大部分は、リフレクタシェード３の補助反射面３ａで反射させた後、主反射面２ｂへ入射させるようにしたので、リフレクタ２は、補助反射面３ａとの相対関係で、出射開口部２ａを大きくし、かつ主反射面２ｂの奥行きを浅くして設計することができる。
【００３４】
すなわち、ＬＥＤ１の光の内、補助反射面３ａの片側部分の最下端部分に入射する光Ｌ２は、第２焦点Ｃ２を通過する反射光Ｌ３となって主反射面２ｂの上部分に入射し、その後主反射面２ｂで反射されて平行光Ｌ１となって前方へ出射する。他方、ＬＥＤ１の光の内、補助反射面３ａの片側部分の最上端部分に入射する光Ｌ４は、第２焦点Ｃ２を通過する反射光Ｌ５となって主反射面２ｂの下部分に入射し、その後主反射面２ｂで反射されて平行光Ｌ１となって前方へ出射する。
【００３５】
このように本実施形態では、リフレクタ２は、図２（ｂ）に示すように、反射光Ｌ３およびＬ５の入射する上および下部分が有れば足りるものであり、これにより出射開口部２ａを大きくし、かつ主反射面２ｂの奥行きを浅くして設計することができる。そして出射開口部２ａを大きくすることによって、主反射面２ｂを形成するための蒸着（例えば、アルミニウム蒸着）が容易であると共に、ＬＥＤ１の１個当たりの拡大した発光面積を確保することができ、かつ主反射面２ｂの奥行きを浅く形成することによって、モジュール１０全体の薄型化が可能である。
【００３６】
さらには、主反射面２ｂおよび補助反射面３ａは、リフレクタシェード３をリフレクタ２に組み付けた後、一工程で同時に蒸着あるいは塗装により形成することができるので、形成容易で、コスト高を伴うこともない。
【００３７】
また好ましくは、光源取付孔２ｃは、図１および図２（ａ）、（ｂ）、（ｃ）に示すように、発光部１ａの周縁部に近接する孔縁部２ｄを有して形成される。
【００３８】
この構成によれば、ＬＥＤ１の光のリフレクタ２後方への漏洩を、その発光部１ａの周縁部に近接する光源取付孔２ｃの孔縁部２ｄで防ぐことができ、光の有効利用を、より一層図ることができる。
【００３９】
さらに好ましくは、リフレクタシェード３は、図２（ａ）、（ｂ）、（ｃ）に示すように、光源取付孔２ｃと略同等の投影面積を有して形成される。
【００４０】
この構成によれば、リフレクタシェード３は、ＬＥＤ１を外部からの視界から隠すことができると共に、ＬＥＤ１に対する遮光を小部分に留めることができ、何等光の有効利用を減ずるものではない。
【００４１】
また、リフレクタシェード３の補助反射面３ａは、前記した楕円線Ｃで形成されるばかりでなく、図３に示すように、双曲線Ｄの一部を、ＬＥＤ１の光軸ｃを中心にして回転させることにより形成したり、図４に示すように、円錐面（あるいは角錐面）Ｅで形成したり、あるいは図５に示すように、自由曲面Ｆで形成することができる。
【００４２】
また、リフレクタ２の主反射面２ｂは、前述した回転放物面で形成されるばかりでなく、自由曲面で形成することもできる。
【００４３】
以上述べた変形例においても、形状および大きさの異なる補助反射面３ａと主反射面２ｂとを適宜組み合わせることにより前述したモジュール１０と同様な効果を奏することができる。
【００４４】
図６は、この発明の第２実施形態としてのＬＥＤランプモジュール１１を示す。このモジュール１１は、リフレクタ２が、その出射開口部２ａをアウタレンズ５に対向させると共に、アウタレンズ５で開口部６ａを閉塞されたハウジング６内に、アウタレンズ５に形成される発光面Ｇが相互に連続するように適宜の間隔を維持して複数個配置されており、ＬＥＤ１およびリフレクタシェード３が、複数個の各リフレクタ２に配置されている。なお、発光面Ｇは、図６（ａ）では斜線を付して示しており、発光面Ｇの連続部分Ｇ１は、図６（ｃ）では斜線を付して示している。
【００４５】
すなわち、モジュール１１は、ハウジング６内に、前述したモジュール１０を部品として複数個配置することによって構成されるものである。
【００４６】
具体的には、モジュール１１は、開口部６ａがφ８０であるハウジング６内に、出射開口部２ａがφ２５のリフレクタ２を備えた７個の部品モジュール１０を均等に配置して構成されている。
【００４７】
このモジュール１１によれば、主反射面２ｂおよび補助反射面３ａのいずれにも入射しないＬＥＤ１の光も有効に利用することができ、アウタレンズ５の全面を、少ない個数のＬＥＤ１で均一に面発光させることができる。
【００４８】
また、モジュール１２は、リフレクタ２が、所定位置に同一の配光パターンＡ（図１参照）を形成するように適宜の間隔を維持して複数個配置されている以外はモジュール１１と同様に構成されるものである。
【００４９】
このモジュール１２によれば、少ない個数のＬＥＤ１で所望の配光パターンＡを有する車両用灯具を提供することができるし、しかもリフレクタ２を備えた部品としての複数のモジュール１０は、それぞれ同一の配光パターンＡを奏するように組み付けるだけで足りるので、各モジュール１０についての配置については何等限定されるものではなく、配置デザインについての自由度が拡大する。
【００５０】
【発明の効果】
以上、詳述したように、請求項１記載の発明によれば、ＬＥＤの光束は、その中央部分を含めた大部分がリフレクタシェードの補助反射面で反射されてリフレクタの主反射面へ入射し、該主反射面でさらに反射されて大部分がＬＥＤの光軸と平行な平行光となって前方に出射するように構成したので、リフレクタを、その出射開口部を大きくし、かつその主反射面の奥行きを浅くして設計することができ、これにより主反射面を形成するための蒸着が容易であると共に、モジュール全体の薄型化が可能であるばかりでなく、ＬＥＤの１個当たりの拡大した発光面積を確保することができると共に、車両信号灯としての所望の配光パターンを得るときの光の有効利用をも図ることができる。
【００５１】
また、請求項２記載の発明によれば、ＬＥＤの光のリフレクタ後方への漏洩を、その発光部の周縁部に近接する光源取付孔の孔縁部で防ぐことができるので、請求項１記載の発明の効果に加えて、ＬＥＤの光の一層の有効利用を図ることができる。
【００５２】
また、請求項３記載の発明によれば、リフレクタシェードは、ＬＥＤを外部からの視界から隠すことができると共に、ＬＥＤに対する遮光を小部分に留めることができるので、請求項１または２記載の発明の効果に加えて、ＬＥＤの光の有効利用を何等阻害することなく、見栄えの向上を図ることができる。
【００５３】
また、請求項４記載の発明によれば、アウタレンズの全面を、少ない個数のＬＥＤで均一に面発光させることができるので、請求項１〜３のいずれか１項に記載の発明の効果に加えて、照明品質の向上と共にコストダウンをも図ることができる。
【００５４】
また、請求項５記載の発明によれば、少ない個数のＬＥＤで所望の配光パターンを有する車両用灯具を提供することができるので、請求項１〜３のいずれか１項に記載の発明の効果に加えて、コストダウンを図ることができると共に、リフレクタの配置についてのデザイン自由度が拡大する。
【図面の簡単な説明】
【図１】この発明の第１実施形態としてのＬＥＤランプモジュールの断面図と、該モジュールの奏する配光パターンと、前記モジュールに適用されているＬＥＤの光のスペクトルとの相関関係を説明するための説明図である。
【図２】図１のＬＥＤを省略したＬＥＤランプモジュールを示し、（ａ）は平面図、（ｂ）は（ａ）のＩＩｂ−ＩＩｂ線に沿う断面図、（ｃ）は（ａ）のＩＩｃ−ＩＩｃ線に沿う断面図である。
【図３】第１実施形態の変形例としてのＬＥＤを省略したＬＥＤランプモジュールの断面図である。
【図４】第１実施形態の他の変形例としてのＬＥＤを省略したＬＥＤランプモジュールの断面図である。
【図５】第１実施形態のさらに他の変形例としてのＬＥＤを省略したＬＥＤランプモジュールの断面図である。
【図６】この発明の第２実施形態およびその変形例としてのＬＥＤランプモジュールを示し、（ａ）はアウタレンズを一部切り欠くと共に、部品モジュールを一部省略した平面図、（ｂ）は（ａ）のＶＩｂ−ＶＩｂ線に沿う断面図、（ｃ）はアウタレンズの面発光の説明図である。
【図７】従来のＬＥＤランプモジュールの断面図と、該モジュールの奏する配光パターンと、前記モジュールに適用されているＬＥＤの光のスペクトルとの相関関係を説明するための説明図である。
【図８】従来の他のＬＥＤランプモジュールの断面図と、該モジュールの奏する配光パターンと、前記モジュールに適用されているＬＥＤの光のスペクトルとの相関関係を説明するための説明図である。
【符号の説明】
１　ＬＥＤ
１ａ　発光部（ＬＥＤの）
２　リフレクタ
２ａ　出射開口部
２ｂ　主反射面
２ｃ　光源取付孔
２ｄ　孔縁部（光源取付孔の）
３　リフレクタシェード
３ａ　補助反射面
３ｃ　中心部（リフレクタシェードの）
５　アウタレンズ
６　ハウジング
６ａ　開口部（ハウジングの）
１０、１１、１２　モジュール（ＬＥＤランプモジュール）
ｃ　光軸（ＬＥＤの）
Ａ　配光パターン
Ｇ　発光面
Ｇ１　連続部分（発光面の）
Ｌ１　平行光
【図１】
2004055168.tif 000003
【図２】
2004055168.tif 000004
【図３】
2004055168.tif 000005
【図４】
2004055168.tif 000006
【図５】
2004055168.tif 000007
【図６】
2004055168.tif 000008
【図７】
2004055168.tif 000009
【図８】
2004055168.tif 000010